(57)【要約】【課題】無線デバイスが接続し得る無線ネットワークの識別子を決定するための方法、モジュール、および無線デバイスを提供すること。【解決手段】モバイルデバイスが接続し得る無線ネットワークの識別子を決定するための方法。少なくとも一つの無線ネットワークに対して、そのネットワーク内のコンポーネントに対する識別子および少なくとも一つのアドレスが、該モバイルデバイス上に格納される。利用可能なネットワーク内のコンポーネントのアドレスが、受信される。該コンポーネントの該アドレスが、該ネットワークに対する識別子なしに受信される場合、該受信されたアドレスは、少なくとも一つの格納されているアドレスと比較される。該受信されたアドレスが、該少なくとも一つの格納されているアドレスのうちの一つと合致する場合、そのアドレスと関連して格納されている該識別子が得られる。【選択図】図１Ａ
2008141755.tif 000002
【特許請求の範囲】
【請求項１】
モバイルデバイスが接続し得る無線ネットワークの識別子を決定するための方法であって、該方法は、
利用可能な無線ネットワークを走査するステップと、
該走査から結果を受信するステップであって、該結果は、少なくとも一つの無線ネットワークに対して、そのネットワーク内のコンポーネントに対する識別子および少なくとも一つのアドレスを備える、ステップと、
該走査から該結果を該モバイルデバイス上に格納するステップと、
利用可能なネットワーク内のコンポーネントのアドレスを受信するステップと、
該コンポーネントの該アドレスが、該ネットワークに対する識別子なしで受信される場合、
（ａ）該受信されたアドレスを少なくとも一つの格納されているアドレスと比較するステップと、
（ｂ）該受信されたアドレスが、該少なくとも一つの格納されているアドレスのうちの一つと合致する場合、そのアドレスと関連して格納されている該識別子を得るステップと
を包含する、方法。
【請求項２】
前記少なくとも一つのネットワークのそれぞれに対して、該ネットワークに対する前記識別子が、該ネットワークのコンポーネントに対するアドレスと一緒に提供されることが期待されるか否かの表示を格納するステップをさらに包含し、
前記少なくとも一つの格納されているアドレスは、提供されることが期待されない識別子を有するように表示されるネットワークと関連する少なくとも一つのアドレスを備える、請求項１に記載の方法。
【請求項３】
前記利用可能なネットワークの前記コンポーネントの前記アドレスが、該利用可能なネットワークに対する識別子とともに受信される場合、該受信された識別子を少なくとも一つの格納されている識別子と比較するステップと、
該受信された識別子が、該少なくとも一つの格納されている識別子と合致する場合、該少なくとも一つの格納されている識別子を更新して、該識別子は提供されることが期待されることを表示するステップと
をさらに包含する、請求項２に記載の方法。
【請求項４】
前記受信されたアドレスを比較するステップを繰り返して、識別子が受信されなかった前記走査の前記結果における全てのアドレスに対する前記識別子を得るステップをさらに包含する、請求項１または請求項２に記載の方法。
【請求項５】
前記走査の前記結果に、合致後に前記格納されている識別子から得られた任意の識別子を追加するステップをさらに包含する、請求項４に記載の方法。
【請求項６】
前記追加後に、前記走査の前記結果、識別子のないまま残っているアドレスがある場合、提供されることを期待されない格納された識別子を有する少なくとも一つの無線ネットワークの利用可能性に対する指向性探査を行うステップをさらに包含する、請求項５に記載の方法。
【請求項７】
前記指向性探査に応答して受信されたアドレスを、該探査が行われた前記ネットワークと関連して格納された少なくとも一つのアドレスと比較するステップと、
該ネットワークと関連して、該少なくとも一つの格納されたアドレスのいずれとも合致しない該指向性探査に応答して受信された任意のアドレスを格納するステップと
をさらに包含する、請求項６に記載の方法。
【請求項８】
任意のアドレスが、該アドレスと関連する前記ネットワークそれぞれに対する識別子とともに受信される場合、前記走査からの前記結果における前記識別子を、前記少なくとも一つの無線ネットワークの前記格納されている識別子と比較するステップと、
格納されている識別子が、該結果に見出された場合、該格納されている識別子を更新して、そのネットワークに対する該識別子は提供されることが期待されることを表示するステップと
をさらに包含する、請求項２〜請求項６のいずれか１項に記載の方法。
【請求項９】
前記ネットワークは、無線ローカルエリアネットワーク「ＷＬＡＮ」である、請求項１〜請求項８のいずれか１項に記載の方法。
【請求項１０】
前記コンポーネントは、アクセスポイント「ＡＰ」である、請求項１〜請求項９のいずれか１項に記載の方法。
【請求項１１】
前記識別子は、サービス設定識別子「ＳＳＩＤ」である、請求項１〜請求項１０のいずれか１項に記載の方法。
【請求項１２】
前記アドレスは、媒体アクセス制御「ＭＡＣ」アドレスである、請求項１〜請求項１１のいずれか１項に記載の方法。
【請求項１３】
コンピュータ読み取り可能な媒体であって、請求項１〜請求項１２のいずれか１項に記載の方法をインプリメントするために、プロセッサ上で実行するために、該媒体上に格納されたコンピュータ実行可能な命令を有する、コンピュータ読み取り可能な媒体。
【請求項１４】
少なくとも一つの無線ネットワークに接続されるように適合されているモバイルデバイスであって、該モバイルデバイスは、
該少なくとも一つの無線ネットワークと通信するための無線アクセスラジオと、
少なくとも一つのネットワークに対して、そのネットワーク内のコンポーネントに対する識別子および少なくとも一つのアドレスを自身の上に格納しているメモリと、
該メモリから、アドレスと関連して格納されている識別子を得るためのアドレス比較機能と、
該アドレス比較機能をインプリメントするため、ならびに該メモリおよび該アドレス比較機能を制御して、請求項１〜請求項１２のいずれか１項に記載の方法を実行するためのプロセッサと
を備える、モバイルデバイス。
【請求項１５】
接続するために、無線ネットワークを選択することをユーザに許可するように適合されているユーザインタフェースをさらに備える、請求項１４に記載のモバイルデバイス。
【請求項１６】
モバイルデバイスに対するユーザプロファイルテーブルを更新するための方法であって、該方法は、
利用可能な無線ネットワーク全てに対する走査を行うステップと、
該走査から前記結果の中のネットワークに対する識別子を、該ユーザプロファイルテーブル内にある無線ネットワークの識別子と比較するステップと、
該ユーザプロファイルテーブルからのネットワークに対する識別子が、該結果に見出された場合、該ユーザプロファイルテーブルを更新して、そのネットワークに対する識別子が隠れていないことを示すステップと
を包含する、方法。
【請求項１７】
前記ネットワークの前記識別子を有するコンポーネントに対するアドレスを、該ネットワークに対する前記ユーザプロファイルテーブル内の該ネットワークに対するエントリに追加するステップをさらに包含する、請求項１６に記載の方法。
【請求項１８】
前記ユーザプロファイルテーブルからのネットワークに対する識別子が見つからない場合、そのネットワークに対する指向性探査を行うステップをさらに包含する、請求項１７に記載の方法。
【請求項１９】
前記ネットワークが前記指向性探査を用いて見出される場合、前記ユーザプロファイルテーブルを更新し、そのネットワークに対する前記識別子が隠されていることを表示するステップをさらに包含する、請求項１８に記載の方法。
【請求項２０】
前記指向性探査において、得られたアドレスを、前記ユーザプロファイルテーブル内の前記ネットワークに対するエントリに追加するステップをさらに包含する、請求項１９に記載の方法。
【請求項２１】
コンピュータ読み取り可能な媒体であって、請求項１７〜請求項２０のいずれか１項に記載の方法をインプリメントするために、プロセッサ上の実行のため、該媒体上に格納されたコンピュータ実行可能な命令を有する、コンピュータ読み取り可能な媒体。
【請求項２２】
請求項１７〜請求項２０のいずれか１項に記載の方法をインプリメントするように構成されている、モバイルデバイス。
【発明の詳細な説明】
【技術分野】
【０００１】
（出願の分野）
本出願は、概して、無線デバイスが接続し得る無線ネットワークの識別子を決定するための方法、モジュール、および無線デバイスに関する。
【背景技術】
【０００２】
（背景）
ＷＬＡＮ（無線ローカルエリアネットワーク）で使用するための一部のＷｉＦｉ可能なデバイスにおいて、ユーザは、ユーザが通常接続するネットワークおよび／またはＡＰ（アクセスポイント）に対するプロファイルを生成し得る。これらのプロファイルは、デバイス上のプロファイルテーブルまたはプロファイルリストに格納され、そのデバイスが、そのデバイスに対するプロファイルテーブルに列挙されたネットワークに自動的に接続することを、そのデバイスがそのネットワークの範囲にあるときに、可能にする。プロファイルは、通常、そのネットワーク用のＳＳＩＤ（サービス設定識別子）と、そのネットワークがオープンまたは安全であるかどうか、およびセキュリティキーのようなセキュリティパラメータとを含む。
【０００３】
ＷＬＡＮにおける各ＡＰは、ＡＰに対する一つ以上のＭＡＣ（媒体アクセス制御）アドレスと、そのＡＰが属するネットワークに対する一つ以上のＳＳＩＤとを有する。一部のネットワークは、「隠れＳＳＩＤ」として公知であるものを有する。隠れＳＳＩＤは、ネットワークの利用可能性に対する走査または探査に応答して、あるいはＡＰが定期的に送信するビーコンの中で、開示されない。このようなネットワークに参加するために、ユーザは、ＳＳＩＤを知らなくてはならないし、通常、ユーザは、既知のＳＳＩＤを用いて指向性探査（ｄｉｒｅｃｔｅｄ  ｐｒｏｂｅ）を行い、利用可能性をチェックする。
【０００４】
一部のＷｉＦｉ可能なデバイスは、ＩＥＥＥ規格８０２．１１に従って、走査および探査を実行して、どのＡＰおよび／またはピアデバイスが利用可能であるかを決定する。ブロードキャスト探査リクエストが送信され、ユーザデバイスの範囲の中でＷｉＦｉ可能な全てのＡＰおよび／またはデバイスを決定する。見出された各ＡＰ／デバイスは、そのそれぞれのＭＡＣアドレスを含む探査応答を送信する。探査応答はまた、そのアドレスがＡＰのようなインフラデバイス、あるいはラップトップまたはハンドヘルドデバイスのような独立の無線デバイスに属するか否かを示す。探査応答はまた、ＳＳＩＤが隠されていない場合には、ＳＳＩＤを含む。ブロードキャスト探査リクエストはまた、ブロードキャスト走査またはサイトサーベイとしても公知である。探査応答が受信された後、その結果は、無線デバイス上で、通常はＲＡＭ（ランダムアクセスメモリ）に格納される。次いで、ユーザは、この走査結果からＡＰ／デバイスを選択し得、ＳＳＩＤが隠されていない場合、そのデバイスに接続し得る。さらに、走査は、受動的、あるいは能動的のいずれかとして規定され得る。受動走査は、ＡＰによって送信されるビーコンを聞くことを含む。能動走査は、「探査リクエスト」パケットをブロードキャストＭＡＣアドレスに送信することによって実行される。探査リクエストパケットがＳＳＩＤを含む場合、これは、指向性探査として公知である。探査リクエストがＳＳＩＤを含まない場合、これは、ブロードキャスト探査または発見探査として公知である。
【０００５】
特定のネットワークに直接送信される指向性探査リクエストもまた、可能である。指向性探査リクエストを送信するためには、ユーザは、ＡＰまたはデバイスのネットワークのＳＳＩＤを知らなくてはならない。
【０００６】
典型的に、ＷｉＦｉ可能なデバイスは、最初に、ブロードキャスト探査を送信し、そのデバイスが接続し得る全てのＡＰまたは他のモバイルデバイスを決定する。走査結果に列挙されたＡＰの一部が、隠れＳＳＩＤを有する場合、一部のデバイスは、そのデバイス上に格納された各プロファイルを調査して、各ＳＳＩＤに指向性探査を送信し、そのデバイスに対するプロファイルテーブルに列挙されたネットワークから利用可能な全てのＡＰが、その走査結果に確実に追加されるようにプログラムされる。そのプロファイルのリストが長い場合、これは、多大な時間を費やし得る。さらに、各探査は、電池作動モバイルデバイスにおいて貴重な電池電力を使用する。なぜなら、モバイルデバイスをスリープ（ドーズ（ｄｏｚｅ））モードにしておくのではなく、モバイルデバイスは、ビーコン、探査リクエスト、探査応答などのパケットを送信および／または受信するアクティブモード状態にあるからである。
【発明の開示】
【課題を解決するための手段】
【０００７】
（出願の概要）
広範な局面に従うと、モバイルデバイスが接続し得る無線ネットワークの識別子を決定するための方法が提供され、該方法は、利用可能な無線ネットワークを走査するステップと、該走査から結果を受信するステップであって、該結果は、少なくとも一つの無線ネットワークに対して、そのネットワーク内のコンポーネントに対する識別子と、少なくとも一つのアドレスとを備える、ステップと、該走査からの該結果を該モバイルデバイス上に格納するステップと、利用可能なネットワーク内のコンポーネントのアドレスを受信するステップと、該コンポーネントの該アドレスが、該ネットワークに対する識別子なしで受信される場合、（ａ）該受信されたアドレスを少なくとも一つの格納されているアドレスと比較するステップと、（ｂ）該受信されたアドレスが、該少なくとも一つの格納されているアドレスのうちの一つと合致する場合、そのアドレスと関連する、格納されている該識別子を得るステップとを包含する。
【０００８】
別の広範な局面に従うと、コンピュータ読み取り可能な媒体が提供され、該コンピュータ読み取り可能な媒体は、上記に概略した方法をインプリメントするために、プロセッサ上で実行するために、該媒体上に格納されたコンピュータ実行可能な命令を有する。
【０００９】
別の広範な局面に従うと、少なくとも一つの無線ネットワークに接続されるように適合されているモバイルデバイスが提供され、該モバイルデバイスは、該少なくとも一つの無線ネットワークと通信するための無線アクセスラジオと、少なくとも一つの無線ネットワークに対して、そのネットワーク内のコンポーネントに対する識別子および少なくとも一つのアドレスを自身の上に格納しているメモリと、該メモリから、アドレスと関連する、格納されている識別子を得るためのアドレス比較機能と、該アドレス比較機能をインプリメントするため、ならびに該メモリおよび該アドレス比較機能を制御して、上記に概略した方法を実行するためのプロセッサとを備える。
【００１０】
別の広範な局面に従うと、モバイルデバイスに対する、ユーザプロファイルテーブルを更新するための方法が提供され、該方法は、利用可能な無線ネットワーク全てに対する走査を行うステップと、該走査からの結果におけるネットワークに対する識別子を、該ユーザプロファイルテーブル内にある無線ネットワークの識別子と比較するステップと、該ユーザプロファイルテーブルからネットワークに対する識別子が、その結果に見出された場合、該ユーザプロファイルテーブルを更新して、そのネットワークに対する前記識別子が隠れていないことを表示するステップとを包含する。
【００１１】
別の広範な局面に従うと、コンピュータ読み取り可能な媒体が提供され、該コンピュータ読み取り可能な媒体は、上記に概略した方法をインプリメントするために、プロセッサ上での実行のために、該媒体上に格納され、コンピュータ実行可能な命令を有する。
【００１２】
別の広範な局面に従うと、上記に概略した方法をインプリメントするように構成されているモバイルデバイスが提供される。
【００１３】
他の局面および特徴は、特定の実施形態の以下の記述を吟味すると、当業者には、明らかになる。
【００１４】
本発明は、さらに、以下の手段を提供する。
【００１５】
（項目１）
モバイルデバイスが接続し得る無線ネットワークの識別子を決定するための方法であって、該方法は、
利用可能な無線ネットワークを走査するステップと、
該走査から結果を受信するステップであって、該結果は、少なくとも一つの無線ネットワークに対して、そのネットワーク内のコンポーネントに対する識別子および少なくとも一つのアドレスを備える、ステップと、
該走査から該結果を該モバイルデバイス上に格納するステップと、
利用可能なネットワーク内のコンポーネントのアドレスを受信するステップと、
該コンポーネントの該アドレスが、該ネットワークに対する識別子なしで受信される場合、
（ａ）該受信されたアドレスを少なくとも一つの格納されているアドレスと比較するステップと、
（ｂ）該受信されたアドレスが、該少なくとも一つの格納されているアドレスのうちの一つと合致する場合、そのアドレスと関連して格納されている該識別子を得るステップと
を包含する、方法。
【００１６】
（項目２）
上記少なくとも一つのネットワークのそれぞれに対して、該ネットワークに対する上記識別子が、該ネットワークのコンポーネントに対するアドレスと一緒に提供されることが期待されるか否かの表示を格納するステップをさらに包含し、
上記少なくとも一つの格納されているアドレスは、提供されることが期待されない識別子を有するように表示されるネットワークと関連する少なくとも一つのアドレスを備える、項目１に記載の方法。
【００１７】
（項目３）
上記利用可能なネットワークの上記コンポーネントの上記アドレスが、該利用可能なネットワークに対する識別子とともに受信される場合、該受信された識別子を少なくとも一つの格納されている識別子と比較するステップと、
該受信された識別子が、該少なくとも一つの格納されている識別子と合致する場合、該少なくとも一つの格納されている識別子を更新して、該識別子は提供されることが期待されることを表示するステップと
をさらに包含する、項目２に記載の方法。
【００１８】
（項目４）
上記受信されたアドレスを比較するステップを繰り返して、識別子が受信されなかった上記走査の上記結果における全てのアドレスに対する上記識別子を得るステップをさらに包含する、項目１または項目２に記載の方法。
【００１９】
（項目５）
上記走査の上記結果に、合致後に上記格納されている識別子から得られた任意の識別子を追加するステップをさらに包含する、項目４に記載の方法。
【００２０】
（項目６）
上記追加後に、上記走査の上記結果、識別子のないまま残っているアドレスがある場合、提供されることを期待されない格納された識別子を有する少なくとも一つの無線ネットワークの利用可能性に対する指向性探査を行うステップをさらに包含する、項目５に記載の方法。
【００２１】
（項目７）
上記指向性探査に応答して受信されたアドレスを、該探査が行われた上記ネットワークと関連して格納された少なくとも一つのアドレスと比較するステップと、
該ネットワークと関連して、該少なくとも一つの格納されたアドレスのいずれとも合致しない該指向性探査に応答して受信された任意のアドレスを格納するステップと
をさらに包含する、項目６に記載の方法。
【００２２】
（項目８）
任意のアドレスが、該アドレスと関連する上記ネットワークそれぞれに対する識別子とともに受信される場合、上記走査からの上記結果における上記識別子を、上記少なくとも一つの無線ネットワークの上記格納されている識別子と比較するステップと、
格納されている識別子が、該結果に見出された場合、該格納されている識別子を更新して、そのネットワークに対する該識別子は提供されることが期待されることを表示するステップと
をさらに包含する、項目２〜項目６のいずれか１項に記載の方法。
【００２３】
（項目９）
上記ネットワークは、無線ローカルエリアネットワーク「ＷＬＡＮ」である、項目１〜項目８のいずれか１項に記載の方法。
【００２４】
（項目１０）
上記コンポーネントは、アクセスポイント「ＡＰ」である、項目１〜項目９のいずれか１項に記載の方法。
【００２５】
（項目１１）
上記識別子は、サービス設定識別子「ＳＳＩＤ」である、項目１〜項目１０のいずれか１項に記載の方法。
【００２６】
（項目１２）
上記アドレスは、媒体アクセス制御「ＭＡＣ」アドレスである、項目１〜項目１１のいずれか１項に記載の方法。
【００２７】
（項目１３）
コンピュータ読み取り可能な媒体であって、項目１〜項目１２のいずれか１項に記載の方法をインプリメントするために、プロセッサ上で実行するために、該媒体上に格納されたコンピュータ実行可能な命令を有する、コンピュータ読み取り可能な媒体。
【００２８】
（項目１４）
少なくとも一つの無線ネットワークに接続されるように適合されているモバイルデバイスであって、該モバイルデバイスは、
該少なくとも一つの無線ネットワークと通信するための無線アクセスラジオと、
少なくとも一つのネットワークに対して、そのネットワーク内のコンポーネントに対する識別子および少なくとも一つのアドレスを自身の上に格納しているメモリと、
該メモリから、アドレスと関連して格納されている識別子を得るためのアドレス比較機能と、
該アドレス比較機能をインプリメントするため、ならびに該メモリおよび該アドレス比較機能を制御して、項目１〜項目１２のいずれか１項に記載の方法を実行するためのプロセッサと
を備える、モバイルデバイス。
【００２９】
（項目１５）
接続するために、無線ネットワークを選択することをユーザに許可するように適合されているユーザインタフェースをさらに備える、項目１４に記載のモバイルデバイス。
【００３０】
（項目１６）
モバイルデバイスに対するユーザプロファイルテーブルを更新するための方法であって、該方法は、
利用可能な無線ネットワーク全てに対する走査を行うステップと、
該走査から上記結果の中のネットワークに対する識別子を、該ユーザプロファイルテーブル内にある無線ネットワークの識別子と比較するステップと、
該ユーザプロファイルテーブルからのネットワークに対する識別子が、該結果に見出された場合、該ユーザプロファイルテーブルを更新して、そのネットワークに対する識別子が隠れていないことを示すステップと
を包含する、方法。
【００３１】
（項目１７）
上記ネットワークの上記識別子を有するコンポーネントに対するアドレスを、該ネットワークに対する上記ユーザプロファイルテーブル内の該ネットワークに対するエントリに追加するステップをさらに包含する、項目１６に記載の方法。
【００３２】
（項目１８）
上記ユーザプロファイルテーブルからのネットワークに対する識別子が見つからない場合、そのネットワークに対する指向性探査を行うステップをさらに包含する、項目１７に記載の方法。
【００３３】
（項目１９）
上記ネットワークが上記指向性探査を用いて見出される場合、上記ユーザプロファイルテーブルを更新し、そのネットワークに対する上記識別子が隠されていることを表示するステップをさらに包含する、項目１８に記載の方法。
【００３４】
（項目２０）
上記指向性探査において、得られたアドレスを、上記ユーザプロファイルテーブル内の上記ネットワークに対するエントリに追加するステップをさらに包含する、項目１９に記載の方法。
【００３５】
（項目２１）
コンピュータ読み取り可能な媒体であって、項目１７〜項目２０のいずれか１項に記載の方法をインプリメントするために、プロセッサ上で実行するために、該媒体上に格納されたコンピュータ実行可能な命令を有する、コンピュータ読み取り可能な媒体。
【００３６】
（項目２２）
項目１７〜項目２０のいずれか１項に記載の方法をインプリメントするように構成されている、モバイルデバイス。
【００３７】
（摘要）
モバイルデバイスが接続し得る無線ネットワークの識別子を決定するための方法。少なくとも一つの無線ネットワークに対して、識別子と、そのネットワーク内のコンポーネントに対する少なくとも一つのアドレスとが、該モバイルデバイス上に格納される。利用可能なネットワーク内のコンポーネントのアドレスが、受信される。該コンポーネントの該アドレスが、該ネットワークに対する識別子なしに受信される場合、該受信されたアドレスは、少なくとも一つの格納されているアドレスと比較される。該受信されたアドレスが、該少なくとも一つの格納されているアドレスのうちの一つと合致する場合、そのアドレスと関連して格納されている該識別子が得られる。該方法をインプリメントするためのモジュールおよびモバイルデバイスは、メモリ、受信機、比較モジュール、およびインタフェースモジュールを備える。
【発明を実施するための最良の形態】
【００３８】
実施形態の例が、ここで、添付の図面を参照して、より詳細に記載される。
【００３９】
（好ましい実施形態の説明）
まず、図１Ａを参照すると、モバイルデバイスが接続し得る無線ネットワークの識別子を決定するための方法の流れ図が示される。この方法が開始した後、ステップ１０２は、少なくとも一つの無線ネットワークに対して、ネットワーク内のコンポーネントに対する識別子および少なくとも一つのアドレスをモバイルデバイス上に格納することを包含する。一部の実施形態において、識別子およびアドレスは、不揮発性メモリのようなコンピュータ読み取り可能な媒体上に格納される。一例は、フラッシュメモリである。一部のモバイルデバイスにおいて、モバイルデバイスが定期的に接続するネットワーク、あるいはモバイルデバイスが接続を許可されるネットワークの選択に対する識別子およびアドレスを含むプロファイルテーブルの一部として格納される。一部のネットワークに対して、複数のアドレスがあり得る。
【００４０】
ステップ１０４で、利用可能なネットワーク内のコンポーネントのアドレスが、受信される。一部の実施形態において、このアドレスは、利用可能なネットワークに対する走査に応答して、受信される。例えば、一部のモバイルデバイスは、そのモバイルデバイスが接続し得るネットワークに対する走査を定期的に行う。その走査は、ＩＥＥＥ規格８０２．１１に準拠し得る。一部のアドレスは、コンポーネントが位置するネットワークを識別する識別子とともに受信される。しかしながら、他のアドレスは、そのような識別子なしで受信される。提供されない識別子は、隠れ識別子として、公知のこともある。アドレスが識別子とともに受信される場合（決定ステップ１０６のイエス経路）、識別子を決定する要求はなく、この方法は、終了する。
【００４１】
コンポーネントのアドレスが、ネットワークに対する識別子なしに受信される場合（決定ステップ１０６のノー経路）、この方法は、続き、受信されたアドレスを、少なくとも一つの格納されているアドレスと比較する。この比較は、ステップ１０２におけるアドレスの一部または全部に対して行われる。特定の例が、以下に詳述される。受信されたアドレスが、少なくとも一つの格納されているアドレスのうちの一つと合致する場合（決定ステップ１１０のイエス経路）、次のステップは、そのアドレスと関連して格納されている識別子を得ることである（ステップ１１２）。次いで、この方法は、終了する。アドレスの比較によって、指向性探査を行って、モバイルデバイス上に格納されている識別子を決定することが回避される。これは、モバイルデバイス上に、識別子と関連して格納されているアドレスを有することによって可能にされる。
【００４２】
受信されたアドレスが、少なくとも一つの格納されているアドレスと合致しない場合（決定ステップ１１０のノー経路）、この方法は、終了する。一部の実施形態において、合致するものがない場合、指向性探査が行われ、モバイルデバイス上に格納されている少なくとも一つの識別子と関連する全てのコンポーネントの利用可能性を決定する。指向性探査の結果は、受信されたアドレスと比較され、受信されたアドレスが少なくとも一つの識別子と関連するネットワークのコンポーネントであるかどうかを決定し得る。指向性探査を行うことによって、モバイルデバイスは、応答する任意のＡＰが探査リクエストパケットで使用したＳＳＩＤを有することを知る。モバイルデバイス上にまだ格納されずに戻された任意のアドレスは、次いで、格納されているアドレスに追加され得る。
【００４３】
本方法の一部の実施形態は、上記少なくとも一つのネットワークのそれぞれに対し、ネットワークに対する識別子が該ネットワーク内のコンポーネントに対するアドレスと一緒に提供されることが期待されているか否かの指示を格納するステップをさらに包含する。一部の実施形態において、ステップ１０８で比較された上記少なくとも一つの格納されているアドレスは、提供されることを期待されない識別子を有するものとして示されるネットワークと関連するアドレスを備える。この方法の例は、図１Ｂを参照して記載される。
【００４４】
図１Ｂの流れ図は、図１Ａと同じロジックに従う。図１Ｂのステップ１５２、１５４、１５６、１５８、１６０、および１６２は、図１Ａのステップ１０２、１０４、１０６、１０８、１１０、および１１２に対応する。ステップ１５２で、上記少なくとも一つのネットワークに対する識別子および少なくとも一つのアドレスを格納することに加え、識別子が提供されることが期待されるか否かのインジケータが、格納される。このインジケータを決定する方法は、以下に詳述される。ステップ１５８で、受信されたアドレスが、少なくとも一つの格納されているアドレスであって、識別子が提供されることが期待されないとインジケータが表示しているアドレスと比較される。そうでなければ、ステップは、図１を参照して記載されたステップと同じである。一部の実施形態において、アドレスは、インジケータが提供されることを期待されないネットワークのコンポーネントに対して格納されるのみである。
【００４５】
一部の実施形態において、利用可能なネットワークのコンポーネントのアドレスが、利用可能なネットワークに対する識別子とともに受信される場合、受信された識別子は、少なくとも一つの格納されている識別子と比較される。受信された識別子が、上記少なくとも一つの格納されている識別子と合致する場合、格納されている識別子は、その識別子が提供されることを期待されていることを表示するように更新される。
【００４６】
以上に詳述されたように、本方法は、モバイルデバイスが接続し得る利用可能な無線ネットワークの位置決めをする（ｌｏｃａｔｅ）ために走査を実行することと、利用可能なネットワークにおける利用可能なコンポーネントのアドレスを備える走査の結果を受信することとを包含し得る。このような場合、受信されたアドレスを比較することと、識別子を得ることとは、識別子が受信されなかった走査の結果における全てのアドレスに対して繰り返され得る。さらなる実施形態において、本方法はまた、走査の結果に、合致後に格納された識別子から得られた任意の識別子を追加することを包含する。
【００４７】
さらに、その追加の後、走査の結果、識別子がないまま残っているアドレスがある場合、指向性探査が、提供されることを期待されない格納された識別子を有する少なくとも一つの無線ネットワークの利用可能性に対して行われ得る。指向性探査が行われた場合、本方法は、指向性探査に応答して受信されたアドレスを、その指向性探査が行われたネットワークと関連して格納されている少なくとも一つのアドレスと比較することを包含する。次いで、指向性探査に応答して受信された任意のアドレスで、格納され得る少なくとも一つのアドレスのいずれとも合致しないアドレスもまた、ネットワークと関連して格納され得る。さらに、格納されている識別子が、走査結果に追加され得る。このようにして、格納されたアドレスは、ユーザが新たなアドレスを位置決めして、入力する必要なしに、自動的に更新され得る。
【００４８】
一部の実施形態において、格納するステップ（ステップ１０２およびステップ１５２）は、幾つかのステップからなる。格納を行う方法は、ここで、図１Ｃを参照して議論される。この方法は、利用可能な無線ネットワーク全てを走査することから開始し（ステップ１８２）、利用可能なネットワーク内のコンポーネントのアドレスを備える結果をこの走査から受信する（ステップ１８４）。任意のアドレスが、そのアドレスと関連するそれぞれのネットワークに対する識別子とともに受信される場合（決定ステップ１８６のイエス経路）、その走査からの結果における識別子は、少なくとも一つの無線ネットワークのうちの格納されている識別子と比較される（ステップ１８８）。次いで、格納されている識別子が、その結果の中に見出される場合（決定ステップ１９０のイエス経路）、この格納されている識別子が更新され、このネットワークに対する識別子が提供されることが期待されることを示す（ステップ１９２）。次いで、この方法は、終了する。ステップ１８６またはステップ１９０のいずれかで、回答がノーの場合、この方法は、このポイントで終了する。この方法は、モバイルデバイス上のプロファイルテーブル内に、ＳＳＩＤが隠されているか否かを示すフィールドを埋めるために使用され得る。同様に、走査結果の中に、格納されている識別子と合致する識別子とともに受信された任意のアドレスが、まだモバイルデバイス上に格納されていない場合、格納されている識別子と関連して、格納され得る。したがって、新たなプロファイルは、オプションとして、モバイルデバイス上の既存のプロファイルに添付され得る。
【００４９】
一部の実施形態において、ネットワークは、ＷＬＡＮである。しかしながら、ネットワークは、識別子がネットワークのコンポーネントのアドレスと必ずしも一緒に提供されない任意の無線ネットワークであり得ることが、理解されるべきである。例えば、識別子が必ずしもユーザに提供されない場合、方法は、セルラネットワークにおいて適用され得る。
【００５０】
識別子という用語は、本明細書で使用される場合、特定のネットワークに一意的な任意の識別子を意味する。一部の実施形態において、識別子は、ＳＳＩＤである。アドレスという用語は、本明細書で使用される場合、コンポーネントに一意的な任意のアドレスまたは識別子である。一部の実施形態において、アドレスは、それぞれのコンポーネントに一意的なＭＡＣアドレスである。コンポーネントは、ネットワーク内の任意のコンポーネントであり、他の無線デバイスおよびＡＰを含むが、これらに限定されない。
【００５１】
本明細書に記載された方法は、ハードウェアまたはソフトウェアの任意の組み合わせによってインプリメントされ得る。一部の実施形態において、モバイルデバイス上のコンピュータ読み取り可能な媒体が、本方法をインプリメントするために使用される。一つのこのようなコンピュータ読み取り可能な媒体２００が、ここで、図２を参照して記載される。
【００５２】
コンピュータ読み取り可能な媒体２００は、モバイルデバイスが接続し得る無線ネットワークの識別子を決定するためである。コンピュータ読み取り可能な媒体は、アドレスが、利用可能なネットワークに対するクエリに応答して、ネットワークに対する識別子なしで受信された場合、該受信されたアドレスをモバイルデバイス上の識別子と関連して格納されている少なくとも一つのアドレスと比較するためのアドレスコンパレータと、該受信されたアドレスが、該少なくとも一つの格納されているアドレスのうちの一つと合致する場合、そのアドレスと関連して格納されている識別子を得るための検索モジュールとを備える。
【００５３】
一部の実施形態において、モバイルデバイスはまた、ネットワークに対する識別子が、その上に格納されたネットワーク内のコンポーネントに対するアドレスを提供されることを期待されているか否かの指示を、該モバイルデバイスに格納している。これらの場合の一部において、上記少なくとも一つの格納されているアドレスは、提供されることを期待されていない識別子を有するように示されたネットワークと関連するアドレスを備える。
【００５４】
少なくとも一つの無線ネットワークに接続されるように適合されているモバイルデバイス３００が、ここで、図３を参照して、以下に記載される。モバイルデバイス３００は、無線アクセスラジオ３１０、プロセッサ３１２、アドレス比較機能３１４、およびメモリ３１６を備える。無線アクセスラジオ３１０は、上記少なくとも一つの無線ネットワークと通信するためである。メモリ３１６は、少なくとも一つの無線ネットワークに対して、そのネットワーク内のコンポーネントに対する識別子および少なくとも一つのアドレスを自身の上に格納している。アドレス比較機能３１４は、アドレスが利用可能なネットワークに対する識別子なしに受信される場合、該受信されたアドレスをメモリ内に格納されている少なくとも一つアドレスと比較するためである。アドレス比較機能３１４はまた、受信されたアドレスが、該少なくとも一つの格納されているアドレスと合致する場合、メモリからそのアドレスと関連して格納されている識別子を得る。プロセッサ３１２は、アドレス比較機能をインプリメントするためである。
【００５５】
モバイルデバイス３００の一部の実施形態において、メモリ３１６はまた、上記少なくとも一つのネットワークに対する識別子が、ネットワーク内のコンポーネントに対するアドレスと一緒に提供されることが期待されているか否かの指示を、該メモリに格納している。これらの実施形態の一部において、該少なくとも一つの格納されているアドレスは、提供されることが期待されていない識別子を有するように示されたネットワークと関連する少なくとも一つのアドレスを備える。
【００５６】
一部の実施形態において、モバイルデバイス３００は、ユーザがどの無線ネットワークと接続するという選択を可能にするように適合されたユーザインタフェースをさらに備える。
【００５７】
モバイルデバイス３００は、数多くの可能性を有する。以下に記載される図７は、本明細書に記載された方法のいずれかをインプリメントし得る別のモバイルデバイス７００のブロック図である。
【００５８】
図４は、モバイルデバイスの近傍で利用可能なＷＬＡＮに対する走査を実行するための方法の特定の実施形態の流れ図である。この方法は、プロファイルテーブルを有するモバイルデバイスによって、インプリメントされる。プロファイルテーブルは、ユーザによって選択され得る無線ネットワークに対する情報を含む。各無線ネットワークに対して、プロファイルテーブルは、ＳＳＩＤ、そのＳＳＩＤが隠されているか否かの指示、および無線ネットワーク内の少なくとも一つのＡＰに対する少なくとも一つのＭＡＣアドレスを含む。一部の実施形態において、該少なくとも一つのＭＡＣアドレスは、ＳＳＩＤが隠されている場合、格納されるのみである。他の実施形態において、プロファイルテーブルはまた、ネットワーク内の通信が暗号化されているか否か、および暗号化キーのようなセキュリティパラメータを含む。プロファイルテーブルに含まれ得る別の特徴は、プロファイルが、ＩＰアドレスを自動的に得るか、ＤＨＣＰ（動的ホスト制御プロトコル）を使用するか、あるいはプロファイルが所定のＩＰアドレスを使用するかどうかである。
【００５９】
この方法が、開始し、利用可能なネットワーク内のコンポーネントまたはＡＰの任意のＳＳＩＤまたはアドレスに対する走査の第一のステップに進む（ステップ４０２）。ステップ４０４は、任意のＡＰが見出されたか否かのクエリを提示する。回答がノーの場合、方法は、バックオフ手順に進み（ステップ４０６）、次いで、この方法が繰り返される。一部の実施形態において、バックオフ手順は、モバイルデバイスをスリープモードにして、その方法が再開するまで、所定の期間待つことを含む。ステップ４０４で、走査の中でＡＰが見出される場合、その方法の残りが、見出された各ＡＰに対して繰り返される（ステップ４０８）。ステップ４１０は、ＡＰのＳＳＩＤが隠されているか否か、すなわち、隠されたか否かを決定する決定ブロックである。その回答が、イエスの場合、次のステップは、隠れＳＳＩＤを有するＡＰに対する処理を行うことである（ステップ４３０）。隠れＳＳＩＤを有するＡＰに対する処理は、図５を参照して、詳細に議論される。次いで、次のステップは、プロファイルテーブルにあるプロファイルに対して列挙されたＭＡＣアドレス内で、ＡＰのＭＡＣアドレスを探す決定ブロックである（ステップ４３２）。回答となるＭＡＣが見出されなかった場合（ステップ４３２のノー経路）、指向性プロファイル走査が要求されるインジケータが、ＴＲＵＥに設定される（ステップ４３４）。ＭＡＣアドレスが、ステップ４３２で見出された場合（イエス経路）、方法は、ステップ４３３に進み、フラグＡＰ＿Ｆｏｕｎｄ＿Ｉｎ＿ＰｒｏｆｉｌｅｓがＴＲＵＥに設定される。次いで、ステップ４１４で、その見出されたＡＰに対する走査結果は、モバイルデバイス上のメモリに格納される。この走査結果は、ＡＰに対するＭＡＣアドレスおよびＳＳＩＤを含む。ステップ４１０での回答がノーの場合、方法は、ステップ４１２に進み、このステップは、そのＳＳＩＤに対するプロファイルが、プロファイルテーブルに隠されていないように、マーキングすることを含む。そのＡＰに対する走査結果は、ステップ４１４で、ＳＳＩＤと一緒に、モバイルデバイス上のメモリの中に格納される。ステップ４１４の後に、ステップ４１６は、そのＡＰがその走査結果の最終であるかどうかを決定する。回答がノーの場合、この方法は、繰り返され（ステップ４１８）、ステップ４１０で次のＡＰに対して開始する。ステップ４１６で、回答がイエスの場合、この方法は、ステップ４２０に進み、ここで、指向性走査が、要求されるか否かの決定がなされる。ステップ４２０で、回答がイエスの場合、指向性プロファイル走査は、ステップ４２２で行われる。指向性プロファイル走査の詳細は、図６を参照して議論される。指向性プロファイル走査の後に、この方法は、終了する。同様に、ステップ４２０で、回答がノーの場合、この方法は終了する。
【００６０】
ステップ４３０のように、図４の議論で述べられた隠れＳＳＩＤを有するＡＰに対する処理は、ここで、図５を参照して議論される。各ＡＰに対して、処理は、ステップ５０１で開始する。この処理における最初のステップは、フラグＡＰ＿Ｆｏｕｎｄ＿Ｉｎ＿ＰｒｏｆｉｌｅｓをＦＡＬＳＥに設定することである。次いで、以下の方法が、各プロファイルに対して繰り返される。そのプロファイルに対するＳＳＩＤが隠されているか否かの決定が、ステップ５０４でなされる。これは、ＳＳＩＤが隠されているか、あるいは隠されていないかの指示を含むテーブルにあるフィールドをチェックすることによって行われる。回答がノーの場合、処理は、ステップ５１２に進む。このステップは、このプロファイルがプロファイルテーブルの中のプロファイルの最終であるかどうかの決定である。ステップ５０４で、回答がイエスの場合、処理は、終了する。ステップ５１２で、回答がノーの場合、処理は繰り返され、再びステップ５０４で開始する。ステップ５０４で、回答がイエスの場合、処理は、ステップ５０６に進み、このステップは、その特定のプロファイルに対する各ＭＡＣアドレスに対して行われる処理の開始である。ステップ５０８で、走査結果からのＡＰのＭＡＣアドレスが、プロファイルに格納されているＭＡＣアドレスと合致するかどうかの決定がなされる。回答がイエスの場合、フラグＡＰ＿Ｆｏｕｎｄ＿Ｉｎ＿ＰｒｏｆｉｌｅｓがＴＲＵＥに設定され（ステップ５０９）、処理は終了する。ステップ５０８で、回答がノーの場合、処理は、別の決定ブロックであるステップ５１０に進む。ステップ５１０は、ＭＡＣアドレスがそのプロファイルに対する最終のＭＡＣアドレスであるか否かを決定する。回答がノーの場合、処理は、繰り返され（ステップ５１４）、そのプロファイル内の次のＭＡＣアドレスに対して、ステップ５０８で開始する。ステップ５１０で、回答がイエスの場合、上述のように、処理は、ステップ５１２で続く。
【００６１】
指向性プロファイル走査を行うための方法は、図４の議論に記載されている方法のステップ４２２で要求されるように、ここで、図６を参照して記載される。この方法は、モバイルデバイス上のプロファイルテーブル内の各プロファイルに対して繰り返される（ステップ６０２）。第一のステップは、プロファイルに対するＳＳＩＤが隠されているかどうかを決定することである（６０４）。これは、隠されているか、あるいは隠されていないかの表示を含むテーブル内のフィールドをチェックすることによって行われる。ＳＳＩＤが隠されていない場合、方法は、ステップ６１８に進み、このステップは、これがプロファイルの最終であるかどうかを尋ねる。回答がイエスの場合、方法は終了する。プロファイルの最終でない場合、方法は、次のプロファイル（ステップ６２０）に進み、ステップ６０４で開始する。ＳＳＩＤが隠されている場合、方法は、ステップ６０６に進む。このステップは、プロファイルのネットワークに対する指向性走査である。ステップ６０８は、ネットワークが指向性走査を用いて見出されたかどうかを決定する。回答がノーの場合、方法は、上述のように、６１８に進み、これがプロファイルの最終であるかどうかを尋ねる。ネットワークが見出された場合、方法は、ネットワークに対する指向性走査の結果にある各ＡＰに対して繰り返される処理を開始する（ステップ６１０）。各ＡＰに対する第一のステップは、そのＡＰがネットワークに対するプロファイルリストに列挙されているかどうかを尋ねることである。回答がノーの場合、ＡＰに対するＭＡＣアドレスが、プロファイルリストに追加され（ステップ６１４）、走査結果は、ＳＳＩＤと一緒に、モバイルデバイス上のＲＡＭ（ランダムアクセスメモリ）のようなメモリに格納される（ステップ６１６）。この方法は、次いで、ステップ６１８に進み、これがプロファイルの最終であるかどうかを決定する。回答がノーの場合、方法は繰り返され（ステップ６２０）、ステップ６０４で開始する。回答がイエスの場合、この方法は、終了する。
【００６２】
前述されたように、受動走査が、ＡＰによって送信されるビーコンを聞くことによって行われ得る。一部の実施形態において、ビーコンが、ＳＳＩＤを含む場合、ＳＳＩＤは、モバイルデバイス上に格納されているＳＳＩＤと比較され得る。しかしながら、ＳＳＩＤが隠されている場合、本明細書に記載された方法が、使用され得る。例えば、最初にビーコン内で検出されたＭＡＣアドレスは、格納されているＭＡＣアドレスと比較され得る。次いで、ＭＡＣアドレスがモバイルデバイス上に格納されていない場合、能動走査が、受信されることが期待されない識別子を有するＳＳＩＤに対して実行される。
【００６３】
ここで、図７を参照すると、本明細書に記載された方法のいずれかをインプリメントし得る別のモバイルデバイス７００のブロック図が示される。モバイルデバイス７００は、例示的な目的のためにのみ、非常に特定的な詳細とともに示されることが、理解されるべきである。
【００６４】
処理デバイス（マイクロプロセッサ９２８）が、キーボード９１４とディスプレイ９２６との間に結合されているように、概略的に示される。マイクロプロセッサ９２８は、ユーザによるキーボード９１４上のキーの作動に応答して、ディスプレイ９２６の動作と、モバイルデバイス７００の動作全体とを制御する。
【００６５】
モバイルデバイス７００は、垂直に伸び得るか、あるいは他の寸法および形状（クラムシェル筐体構造を含む）を採り得る筐体を有する。キーボード９１４は、モード選択キー、あるいはテキストエントリと電話エントリとの間での切り換えのための他のハードウェアまたはソフトウェアを含む。
【００６６】
マイクロプロセッサ９２８に加え、モバイルデバイス７００の他のパーツが、概略的に示される。これらは、通信サブシステム９７０と、短距離通信サブシステム９０２と、キーボード９１４およびディスプレイ９２６とともに、ＬＥＤ９０４、一式の補助Ｉ／Ｏデバイス９０６、シリアルポート９０８、スピーカ９１１、およびマイク９１２を他の含む入力／出力デバイスと、フラッシュメモリ９１６とランダムアクセスメモリ（ＲＡＭ）９１８を含むメモリデバイスと、様々な他のデバイスサブシステム９２０とを含む。モバイルデバイス７００は、モバイルデバイス７００のアクティブなエレメントに電力供給するための電池７２１を有し得る。一部の実施形態において、モバイルデバイス７００は、音声およびデータ通信能力を有する双方向無線周波数（ＲＦ）通信デバイスである。さらに、モバイルデバイス７００は、一部の実施形態において、インターネットを介して、他のコンピュータシステムと通信する能力を有する。
【００６７】
マイクロプロセッサ９２８によって実行されるオペレーティングシステムソフトウェアは、一部の実施形態において、フラッシュメモリ９１６のような永続的格納装置に格納されるが、読み出し専用メモリ（ＲＯＭ）または同様のストレージ素子のような他のタイプのメモリデバイスにも格納され得る。さらに、システムソフトウェア、特定のデバイスアプリケーション、またはそのパーツは、ＲＡＭ９１８のような揮発性格納装置の中に一時的にロードされ得る。モバイルデバイス７００によって受信された通信信号もまた、ＲＡＭ９１８に格納され得る。
【００６８】
マイクロプロセッサ９２８は、そのオペレーティングシステム機能に加えて、モバイルデバイス７００上のソフトウェアプリケーションの実行を可能にする。音声通信モジュール９３０Ａおよびデータ通信モジュール９３０Ｂのように、基本的なデバイス動作を制御する所定のソフトウェアアプリケーションの所定のセットは、製造中にモバイルデバイス７００にインストールされ得る。さらに、個人情報マネージャ（ＰＩＭ）アプリケーションモジュール９３０Ｃもまた、製造中にモバイルデバイス７００にインストールされ得る。ＰＩＭアプリケーションは、一部の実施形態において、ｅメール、カレンダーイベント、音声メール、アポイントメント、およびタスク項目を編成および管理することが可能である。ＰＩＭアプリケーションはまた、一部の実施形態において、無線ネットワーク７１０を介してデータ項目を送受信可能である。一部の実施形態において、ＰＩＭアプリケーションによって管理されるデータ項目は、無線ネットワーク７１０を介して、ホストコンピュータシステムに格納または関連付けされたデバイスユーザの対応データ項目に、シームレスに統合、同期および更新される。
【００６９】
さらに、図３を参照して記載されたアドレス比較機能３１４のようなアドレス比較機能７３０Ｄを実行するソフトウェアアプリケーションが、インストールされ得る。アドレス比較機能７３０Ｄは、無線ネットワークの識別子を決定するために、本明細書に記載された方法のいずれかをインプリメントし得る。
【００７０】
また、別のソフトウェアモジュール９３０Ｎとして示された追加のソフトウェアモジュールも、製造中にインストールされ得る。
【００７１】
記載されてきたものは、本明細書に記載された方法、モジュール、およびデバイスの原理のアプリケーションの単なる例示である。上記実施形態の精神および範囲から逸脱することなく、他のアレンジメントおよび方法が、当業者によってインプリメントされ得る。
【図面の簡単な説明】
【００７２】
【図１Ａ】図１Ａは、無線ネットワークの識別子を決定するための方法の流れ図である。
【図１Ｂ】図１Ｂは、無線ネットワークの識別子を決定するための方法の流れ図である。
【図１Ｃ】図１Ｃは、モバイルデバイス上に格納されている識別子を更新するための方法の流れ図である。
【図２】図２は、無線ネットワークの識別子を決定するためのモバイルデバイス用モジュールのブロック図である。
【図３】図３は、少なくとも一つの無線ネットワークに接続されるように適合されているモバイルデバイスのブロック図である。
【図４】図４は、利用可能な無線ネットワークと、これらのネットワーク内で利用可能なコンポーネントとの走査を行う方法の流れ図である。
【図５】図５は、ブロードキャスト走査に応答して、ＳＳＩＤなしで戻されたＡＰ  ＭＡＣアドレスに対する、ＳＳＩＤを決定するための処理の流れ図である。
【図６】図６は、指向性プロファイル走査を行い、ブロードキャスト走査に応答して、ＳＳＩＤなしで戻されたＡＰ  ＭＡＣアドレスに対するＳＳＩＤを決定するための方法の流れ図である。
【図７】図７は、本明細書に記載された方法が実行され得るモバイルデバイスのブロック図である。
【符号の説明】
【００７３】
２００  コンピュータ読み取り可能な媒体
２１２  アドレスコンパレータ
２１４  検索モジュール
３００  モバイルデバイス
３１０  無線アクセスラジオ
３１２  プロセッサ
３１４  アドレス比較機能
３１６  メモリ
【図１Ａ】
2008141755.tif 000003
【図１Ｂ】
2008141755.tif 000004
【図１Ｃ】
2008141755.tif 000005
【図２】
2008141755.tif 000006
【図３】
2008141755.tif 000007
【図４】
2008141755.tif 000008
【図５】
2008141755.tif 000009
【図６】
2008141755.tif 000010
【図７】
2008141755.tif 000011